(57)【要約】  本発明の一実施形態によるバッテリーパックは、第１方向に連続して配置された複数の単位モジュール、それぞれの前記単位モジュールと重なる貫通流路を有する単位冷却部材、前記単位冷却部材を加圧する加圧部材を含み、第１方向に隣り合う前記単位冷却部材の前記貫通流路は、互いに連結されて冷却材が移動する流路を形成する。
2020523745.tif 000002
【特許請求の範囲】
【請求項１】
第１方向に連続して配置された複数の単位モジュールと、
それぞれの前記単位モジュールと重なってかつ貫通流路を有する単位冷却部材と、
前記単位冷却部材を加圧する加圧部材と、
を含み、
前記第１方向に隣り合う前記単位冷却部材の前記貫通流路は、互いに連結されて冷却材が移動する、バッテリーパック。
【請求項２】
前記単位モジュールの下面と前記単位冷却部材の上面は、面接触する、請求項１に記載のバッテリーパック。
【請求項３】
前記単位モジュールの下面と前記単位冷却部材の上面との間に位置する熱界面材層をさらに含む、請求項１に記載のバッテリーパック。
【請求項４】
前記単位冷却部材は、溶接で前記単位モジュールに連結されている、請求項２または３に記載のバッテリーパック。
【請求項５】
前記単位モジュールは、ケースを含み、
前記単位冷却部材は、前記ケースの底板で構成され、前記ケースは、前記単位冷却部材と連結されて内部空間を形成する側板、前記側板と連結されて前記内部空間を密封する上板を含み、
前記内部空間に二次電池セルが収容される、請求項１に記載のバッテリーパック。
【請求項６】
前記単位冷却部材の厚さは、前記側板の厚さより厚い、請求項５に記載のバッテリーパック。
【請求項７】
前記単位冷却部材は、前記側板と一体からなる、請求項６に記載のバッテリーパック。
【請求項８】
前記加圧部材は、前記貫通流路と連結されて前記冷却材が流入して排出される入口部および出口部を有する第１加圧部材と、
前記第１加圧部材と結合されて前記単位冷却部材を加圧する第２加圧部材と、
を含む、請求項１から７のいずれか一項に記載のバッテリーパック。
【請求項９】
前記単位冷却部材は、前記第１方向に配列され、前記第１加圧部材と隣り合う第１単位冷却部材と、
前記第２加圧部材と隣り合う第３単位冷却部材と、
前記第１単位冷却部材と前記第３単位冷却部材との間に位置する少なくとも一つ以上の第２単位冷却部材と、
を含む、請求項８に記載のバッテリーパック。
【請求項１０】
前記第１単位冷却部材は、前記入口部および前記出口部とそれぞれ連結される一対の線状貫通流路、前記線状貫通流路の間に位置し、前記第２単位冷却部材側に両端部がそれぞれ開放されている曲線状貫通流路を含む第１貫通流路を有し、
前記第２単位冷却部材は、前記両端部とそれぞれ連結され、前記第１方向に延びた第２貫通流路を有し、
前記第３単位冷却部材は、前記第２単位冷却部材側に両端部がそれぞれ開放され、隣り合う前記第２貫通流路の間を連結する曲線状の第３貫通流路を有する、請求項９に記載のバッテリーパック。
【請求項１１】
それぞれの前記単位冷却部材は、前記第１方向に延びた複数の貫通流路を有し、
隣り合う前記単位冷却部材の前記貫通流路は、互いに連結される、請求項９に記載のバッテリーパック。
【請求項１２】
前記貫通流路は、前記第１加圧部材の入口部および出口部と連結され、
前記第２加圧部材は、隣り合う前記単位冷却部材の前記貫通流路を連結する曲線状貫通流路を有する、請求項１１に記載のバッテリーパック。
【請求項１３】
前記貫通流路は、前記第１方向と交差する第２方向に沿って一定の間隔で配置されている、請求項１１に記載のバッテリーパック。
【請求項１４】
前記単位冷却部材は、前記第１加圧部材と前記第２加圧部材との間に位置し、
前記第１加圧部材と前記第２加圧部材は、前記単位冷却部材を貫く結合部材で結合されている、請求項８に記載のバッテリーパック。
【請求項１５】
前記第１方向に隣り合う前記単位冷却部材の間に位置するシーリング部材をさらに含む、請求項１から１４のいずれか一項に記載のバッテリーパック。
【請求項１６】
前記貫通流路および前記貫通流路に連結されて冷却材が流入して排出される入口部および出口部によって形成された流路は、ジグザグ形態で形成されている、請求項１から１５のいずれか一項に記載のバッテリーパック。
【発明の詳細な説明】
【技術分野】
【０００１】
［関連出願との相互引用］
本出願は、２０１８年１月８日付韓国特許出願第１０−２０１８−０００２３５４号に基づいた優先権の利益を主張し、当該韓国特許出願の文献に開示されたすべての内容は本明細書の一部として含まれている。
本発明は、バッテリーパックに関し、特に自動車に取り付けられるバッテリーパックに関する。
【背景技術】
【０００２】
環境汚染の増加につれ炭素排出を減少させるためにハイブリッド自動車と電気自動車に対する需要が徐々に増加している。このようなハイブリッド自動車や電気自動車は、バッテリーパックの充放電エネルギを用いて車両駆動力を得るので、エンジンのみを用いる自動車に比べて燃費に優れ、公害物質を排出しないかまたは減少させ得る点で多くの消費者から良い反応を得ている。
【０００３】
したがって、ハイブリッド自動車や電気自動車の核心部品である車両用バッテリーにより多くの関心と研究が必要である。
【０００４】
このような車両用バッテリーは、リチウムイオン電池、リチウムポリマー電池、ニッケルカドミニウム電池、ニッケル水素電池、ニッケル亜鉛電池などの単位電池を複数で含み、単位電池が直列または並列で連結されたバッテリーパック形態で用いられる。
【０００５】
バッテリーパックは、複数の単位電池が含まれて体積が増加するため、大きさを最小化するために、複数の単位電池を密集して配置する。この時、単位電池は充電または放電過程で熱が発生するが、密集した状態でこのような熱が速かに排出されない場合、単位電池の劣化が促進され、発火または爆発などが発生する可能性がある。
【発明の概要】
【発明が解決しようとする課題】
【０００６】
したがって、本発明は、バッテリーパックで発生する熱を速かに排出させることができる冷却構造を有するバッテリーパックを提供する。
【課題を解決するための手段】
【０００７】
本発明の一態様によるバッテリーパックは、第１方向に連続して配置された複数の単位モジュール、それぞれの前記単位モジュールと重なってかつ貫通流路を有する単位冷却部材、および単位冷却部材を加圧する加圧部材を含み、第１方向に隣り合う前記単位冷却部材の前記貫通流路は、互いに連結されて冷却材が移動する流路を形成する。
【０００８】
前記単位モジュールの下面と前記単位冷却部材の上面は、面接触し得る。
【０００９】
前記バッテリーパックは、前記単位モジュールの下面と前記単位冷却部材の上面との間に位置する熱界面材層をさらに含み得る。
【００１０】
前記単位冷却部材は、溶接で前記単位モジュールに連結され得る。
【００１１】
前記単位モジュールは、ケースを含み、単位冷却部材は、ケースの底板で構成され、ケースは、単位冷却部材と連結されて内部空間を形成する側板、側板と連結されて前記内部空間を密封する上板を含み、内部空間に二次電池セルが収容され得る。
【００１２】
前記単位冷却部材の厚さは、前記側板の厚さより厚くてもよい。
【００１３】
前記単位冷却部材は、前記側板と一体からなり得る。
【００１４】
前記加圧部材は、貫通流路と連結され、前記流路に前記冷却材が流入して排出される入口および出口を有する第１加圧部材、および第１加圧部材と結合されて前記単位冷却部材を加圧する第２加圧部材を含み得る。
【００１５】
前記単位冷却部材は、前記第１方向に配列され、前記第１加圧部材と隣り合う第１単位冷却部材、前記第２加圧部材と隣り合う第３単位冷却部材、前記第１単位冷却部材と前記第３単位冷却部材との間に位置する少なくとも一つ以上の第２単位冷却部材を含み得る。
【００１６】
前記第１単位冷却部材は、前記入口および前記出口とそれぞれ連結される一対の線状貫通流路、前記線状貫通流路の間に位置し、前記第２単位冷却部材側に両端部がそれぞれ開放されている曲線状貫通流路を含む第１貫通流路を有し、第２単位冷却部材は、前記両端部とそれぞれ連結され、前記第１方向に延びた第２貫通流路を有し、第３単位冷却部材は、前記第２単位冷却部材側に両端部がそれぞれ開放され、隣り合う前記第２貫通流路の間を連結する曲線状の第３貫通流路を有し得る。
【００１７】
それぞれの前記単位冷却部材は、前記第１方向に延びた複数の貫通流路を有し、隣り合う前記単位冷却部材の前記貫通流路は、互いに連結されて前記流路を形成し得る。
【００１８】
前記貫通流路は、前記第１加圧部材の入口および出口と連結され、第２加圧部材は隣り合う前記単位冷却部材の前記貫通流路を連結する曲線状貫通流路を有し得る。
【００１９】
前記貫通流路は、前記第１方向と交差する第２方向に沿って一定の間隔で配置され得る。
【００２０】
前記単位冷却部材は、前記第１加圧部材と前記第２加圧部材との間に位置し、第１加圧部材と前記第２加圧部材は、前記単位冷却部材を貫く結合部材で結合され得る。
【００２１】
前記第１方向に隣り合う前記単位冷却部材の間に位置するシーリング部材をさらに含み得る。
【００２２】
前記流路は、ジグザグ形態で形成され得る。
【発明の効果】
【００２３】
本発明の態様と同様の冷却構造を形成すると、バッテリーパックの大きさを増加させず、かつ安全なバッテリーパックを提供することができる。
【００２４】
また、単位モジュール別に冷却部材を形成することによって、バッテリーパックの大きさと関係なく冷却部材を容易に設置してバッテリーパックの安全性を向上させることができる。
【図面の簡単な説明】
【００２５】
【図１】本発明の一実施形態によるバッテリーパックの概略的な斜視図である。
【図２】本発明の一実施形態による貫通流路の平面図である。
【図３】本発明の他の一実施形態によるバッテリーパックの概略的な斜視図である。
【図４】図３に形成された貫通流路を示す概略的な平面図である。
【図５】本発明の他の一実施形態によるバッテリーパックの概略的な斜視図である。
【図６】図５に形成された貫通流路を示す概略的な平面図である。
【図７】本発明の他の一実施形態によるバッテリーパックの概略的な断面図である。
【発明を実施するための形態】
【００２６】
以下、添付する図面を参照して本発明の実施形態について本発明が属する技術分野における通常の知識を有する者が容易に実施できるように詳細に説明する。
【００２７】
本発明を明確に説明するために説明と関係ない部分は省略し、明細書全体にわたって同一又は類似する構成要素に対しては同じ参照符号を付する。
【００２８】
そして、下記の詳細な説明で構成の名称を第１、第２などに区別したものはその構成が同じであるためこれを区別するためのものであり、下記の説明で必ずしもその順序に限定されるものではない。明細書全体において、ある部分がある構成要素を「含む」というとき、これは特に反対の意味を示す記載がない限り、他の構成要素を除くものではなく他の構成要素をさらに含み得ることを意味する。
【００２９】
また、明細書に記載された「．．．部材」等の用語は、少なくとも一つの機能や動作をする包括的な構成の単位を意味する。
【００３０】
以下では添付した図面を参照して本発明の一実施形態によるバッテリーパックについて説明する。
【００３１】
本発明の一実施形態によるバッテリーパックは、自動車の燃料源として自動車に備えられ得る。
【００３２】
バッテリーパックは、電気自動車、ハイブリッド自動車およびその他バッテリーパックを燃料源として用いられるその他異なる方式で自動車に備えられることができる。また、バッテリーパックは、自動車以外にも二次電池を用いる電力貯蔵装置（energy storage system）等そのほか他の装置や機構および設備などにも備えられることはもちろんである。
【００３３】
図１は本発明の一実施形態によるバッテリーパックの概略的な斜視図であり、図２は本発明の一実施形態による貫通流路の平面図である。
【００３４】
図１に示すように、バッテリーパック１０００は、電気的に接続される複数の単位モジュール１００、単位モジュールに連結されている単位冷却部材２００を含む。
【００３５】
各単位モジュール１００は、ケース、ケース内に挿入されている二次電池セルを含む。
【００３６】
セルは、陽極板、分離膜および陰極板が積層された組立体を含み、電解質と共にケース内に密封され得、陽極板および陰極板とそれぞれ連結された端子がケースの外に位置し得る。
【００３７】
複数の単位モジュール１００が第１方向（Ｘ）に連続して配置される場合、最も前に位置する単位モジュール１００を第１単位モジュール１０１とし、一番最後に位置する単位モジュールを第３単位モジュール１０３というとき、第１単位モジュール１０１と第３単位モジュール１０３との間に位置する単位モジュールを第２単位モジュール１０２という。
【００３８】
バッテリーパック１０００は、一つの第１単位モジュール１０１と一つの第３単位モジュール１０３を含み得、第２単位モジュール１０２は少なくとも一つ以上を含み得る。
【００３９】
冷却部材４００は、それぞれの単位モジュール１００の下部に位置する単位冷却部材２００、単位冷却部材２００を加圧する加圧部材３００を含む。
【００４０】
それぞれの単位冷却部材２００は、単位モジュール１００の下面に溶接で結合され得、単位冷却部材２００の上面と単位モジュール１００の上面は面接触で連結され得る。この時、溶接は単位冷却部材２００と単位モジュール１００が接触する面の周りに沿って行われ得る。
【００４１】
このように、溶接で連結すると単位冷却部材２００と単位モジュール１００との間の機械的剛性を高めて、後述する熱界面材層７０の退化（または塑性変形）の発生を抑制してバッテリーパックの寿命の間の熱抵抗損失を減少させて冷却性能を長く維持することができる。
【００４２】
図１および図２を参照すると、それぞれの単位冷却部材２００は、単位冷却部材２００を貫く貫通流路２１を含む。単位冷却部材２００は、内部に形成された貫通流路２１の形態によって、第１単位冷却部材２０１、第２単位冷却部材２０２および第３単位冷却部材２０３を含み得る。第２単位冷却部材２０２は、第１単位冷却部材２０１と第３単位冷却部材２０３との間に位置し、少なくとも一つ以上配置され得る。
【００４３】
第１単位冷却部材２０１は第１単位モジュール１０１の下部に位置し、第２単位冷却部材２０２は第２単位モジュール１０２の下部に位置し、第３単位冷却部材２０３は第３単位モジュール１０３の下部に位置し得る。第１単位冷却部材２０１、第２単位冷却部材２０２および第３単位冷却部材２０３を通過する貫通流路２１は冷却材が流れる。
【００４４】
具体的に、第１単位冷却部材２０１に形成された第１貫通流路２１ａは線状貫通流路２１ａ１と曲線状貫通流路２１ａ２を含む。線状貫通流路２１ａ１は一方向に延びており、第１単位冷却部材２０１を貫いて第１単位冷却部材２０１の両側に開放された孔を有する。
【００４５】
線状貫通流路２１ａ１は対で形成され、曲線状貫通流路２１ａ２を中心に両側にそれぞれ位置し得る。
【００４６】
曲線状貫通流路２１ａ２は、第１単位冷却部材２０１の一側に両端部が位置し、第２単位冷却部材２０２に向かって両端部が開放され得る。
【００４７】
第２単位冷却部材２０２の第２貫通流路２１ｂは第１方向に延びて、第２単位冷却部材２０２を貫通し得、第２単位冷却部材２０２に少なくとも一つ以上形成され得る。複数で形成される場合、第２貫通流路２１ｂは第１方向に交差する第２方向（Ｙ）に一定の間隔を置いて並ぶように配置され得る。このとき、第２貫通流路２１ｂは第１貫通流路２１ａと連結されるように配置される。
【００４８】
第３単位冷却部材２０３の第３貫通流路２１ｃは、曲線状貫通流路で第３単位冷却部材２０３の一側に両端部が位置し、第２単位冷却部材２０２に向かって開放されている。第３貫通流路２１ｃは第２貫通流路２１ｂと連結されるように配置される。
【００４９】
したがって、全体的な流路はバッテリーパック１０００の一側に形成された入口部２３および排出部（出口部）２４と連結され、ジグザグ形態で形成され得る。このとき、隣り合う線状貫通流路２１ａの間の間隔は一定の間隔で配置され得る。
【００５０】
一方、単位冷却部材２００を互いに連結する時、隣り合う流路の間に漏水が発生しないように隣り合う単位冷却部材２００は互いに密着して配置され得る。
【００５１】
加圧部材３００は、単位冷却部材２００の外郭にそれぞれ位置し、これらを加圧してさらに密着できるようにする。
【００５２】
したがって、加圧部材３００は、単位冷却部材２００の両側の外側にそれぞれ位置する第１加圧部材３０１と第２加圧部材３０２を含み、第１加圧部材３０１は第１単位冷却部材２０１に密着するように配置され、第２加圧部材３０２は第３単位冷却部材２０３に密着するように配置され得る。したがって、第１加圧部材３０１は、第１単位冷却部材２０１の線状貫通流路２１ａ１と連結されて冷却材が流入および排出される入口部２３および排出部（出口部）２４が形成され得る。
【００５３】
第１加圧部材３０１と第２加圧部材３０２は、第１，２加圧部材（３０１，３０２）に形成された貫通孔５１に位置する結合部材５０により互いに結合され得る。この時、結合部材５０は例えば、ねじ山を有するボルトであり、結合部材５０にはボルトが挿入される結合孔が形成され得、ボルトの一端にはボルトを回転させるための構造が形成され得る。結合部材５０を締める程度に応じて単位冷却部材２００の間の密着程度を調整することができる。
【００５４】
結合部材５０は対で形成され、冷却部材に形成される流路を中心に両側にそれぞれ位置し得るが、これに限定されるものではない。単位冷却部材２００を均一に加圧して密着させるために、単位モジュール１００の幅またはバッテリーパックの長さに応じて一定の加圧力が作用されるように一定の間隔を置いて３個以上形成（図示せず）し得る。
【００５５】
それぞれの貫通孔５１は、第１加圧部材３０１および第２加圧部材３０２を貫く第１孔と単位冷却部材２００を貫く第２孔によって一つの非常に長い孔（hole）を形成するように配置され得る。
【００５６】
本発明の一実施形態のように、結合部材５０を介して単位冷却部材２００を連結すると、結合部材５０によって複数の単位モジュール１００が連結されるので、容易に複数の単位モジュール１００を一方向に整列することができる。
【００５７】
一方、単位モジュール１００と単位冷却部材２００との間には熱界面材（ＴＩＭ：thermal interface material）層７０が形成され得る。熱界面材層７０は、単位モジュール１００と冷却部材４００との間の凹凸などを除去して表面を平坦化することによって、単位モジュール１００と冷却部材４００との間の熱交換が円滑に行われるようにする。熱界面材層７０は、冷却部材４００または単位モジュール１００の一面に塗布して形成し得、例えば、サーマルグリース（thermal grease）またはエポキシ（epoxy）のような物質であり得る。
【００５８】
本発明の一実施形態のように、冷却部材４００を形成すると、単位モジュール１００の一側から冷却材が流入した後、単位モジュール１００の下面と接触してバッテリーパック１０００を冷却した後、再びバッテリーパック１０００の一側に排出される循環構造が形成される。
【００５９】
本発明の一実施形態では単位モジュールにそれぞれ単位モジュールを連結して結合することによって、単位モジュールの大きさおよび配列に関係なく容易に冷却部材を形成することによってバッテリーパックを迅速に冷却させてバッテリーパックの安全性を向上させることができる。
【００６０】
図３および図５は本発明の他の一実施形態によるバッテリーパックの概略的な斜視図であり、図４および図６はそれぞれ図３および図５に形成された貫通流路を示す概略的な平面図である。
【００６１】
図３および図４のバッテリーパック１００２は、ほぼ図１のバッテリーパックと同様であるため、異なる部分に対してのみ具体的に説明する。
【００６２】
図３および図４に示すように、本発明の他の一実施形態によるバッテリーパック１００２は、複数の単位モジュール１００、単位モジュール１００の下部に連結された冷却部材４００を含む。冷却部材４００は複数の単位冷却部材２００、単位冷却部材２００を加圧する加圧部材３００を含む。
【００６３】
図３および図４のバッテリーパック１００２は、隣り合う単位モジュール１００の間の密着力を増加させるためのシーリング部材６０をさらに含み得る。シーリング部材６０は弾性、耐熱、耐化学性を有する物質であり得る。シーリング部材６０は、単位冷却部材２００の間が密着する側面に塗布して形成するか、別途の部材で形成した後、単位冷却部材２００の間に配置した後結合し得る。
【００６４】
図５および図６に示すように、本発明の他の一実施形態によるバッテリーパック１００４は、複数の単位モジュール１００、単位モジュール１００の下部に連結された冷却部材４００を含む。冷却部材４００は複数の単位冷却部材２００、単位冷却部材２００を加圧する加圧部材３００を含む。
【００６５】
図５および図６の単位冷却部材２００のそれぞれは、いずれも同じ形態の貫通流路２５を有し、単位モジュール１００の位置に関係なく同じ貫通流路２５を有する単位冷却部材２００が配置される。
【００６６】
第１加圧部材３０１は、単位冷却部材２００の貫通流路２５と連結されて冷却材が移動する全体流路の入口部２３と出口部２４、単位冷却部材２００に形成された互いに隣り合う貫通流路２５の間を連結するための曲線状貫通流路２８を含む。
【００６７】
第２加圧部材３０２は、単位冷却部材２００に形成された互いに隣り合う貫通流路２５の間を連結する曲線状貫通流路２８を含む。
【００６８】
図５および図６では第１加圧部材３０１および第２加圧部材３０２に単位冷却部材２００の貫通流路２５の間を連結するための曲線状貫通流路２８を形成することによって、単位冷却部材２００には同じ形状の貫通流路２５のみを形成し得る。
【００６９】
したがって、単位モジュール１００の位置に応じて貫通流路２５を選択して配置する工程を省略することができる。
【００７０】
以上の実施形態では冷却部材が単位モジュールに溶接で連結される場合を説明したが、これに限定されるものではない。
【００７１】
図７は本発明の他の一実施形態によるバッテリーパックの概略的な断面図である。
【００７２】
図７に示すバッテリーパック１００６において、単位冷却部材２００は単位モジュール１００を構成するケース８０と一体からなり、例えば、ケース８０の底板であり得る。
【００７３】
ケース８０は二次電池セルが収容される空間を形成するために、底板８１、底板８１を囲んで内部空間を形成する側板８２、底板８１の反対側に位置して前記内部空間を密封する上板８３を含む。
【００７４】
上板８３、側板８２および底板８１は同じ物質、例えばアルミニウムで形成され得、上板８３はセルが挿入された後溶接で側板８２に結合され得る。
【００７５】
底板８１には冷却材が移動する流路を形成する貫通流路２９が形成されるので、底板８１の厚さＴ１は側板８２の厚さＴ２より厚く形成され得る。
【００７６】
ケース８０は、押出成形の方法で形成するので、押出成形工程時流路の大きさに応じて底板の厚さを選択的に形成した後、貫通流路２９を加工することができる。
【００７７】
このように、ケースの底板に直接流路を形成することによって底板を介して直接的に熱交換が行われるので、冷却部材と単位モジュールとの間の界面に熱界面材層を形成しなくてもよい。また、単位モジュールと単位冷却部材を連結する溶接工程を省略することができる。
【００７８】
以上、本発明の好ましい実施形態について詳細に説明したが、本発明の権利範囲はこれに限定されるものではなく、次の特許請求の範囲で定義している本発明の基本概念を用いた当業者の様々な変形および改良形態も本発明の権利範囲に属する。
【符号の説明】
【００７９】
６０：シーリング部材
７０：熱界面材
８０：ケース
１００：単位モジュール
２００：単位冷却部材
３００：加圧部材
３０１：第１加圧部材
３０２：第２加圧部材
４００：冷却部材
１０００，１００２，１００４，１００６：バッテリーパック
【図１】
2020523745.tif 000003
【図２】
2020523745.tif 000004
【図３】
2020523745.tif 000005
【図４】
2020523745.tif 000006
【図５】
2020523745.tif 000007
【図６】
2020523745.tif 000008
【図７】
2020523745.tif 000009
【国際調査報告】
2020523745.tif 000010
2020523745.tif 000011
2020523745.tif 000012
2020523745.tif 000013